(57)【要約】【課題】スイッチノブの操作部とスイッチ素子との位置ずれを抑制し得るスイッチ装置を提供する。【解決手段】回路基板２と、この回路基板２に搭載されるスイッチ素子３と、回路基板２に接触するボス部４１を有する合成樹脂からなる支持体４と、この支持体４の前方側に位置する合成樹脂からなるパネル体５と、操作者が操作可能な操作部６１とこの操作部６１の操作に応じてスイッチ素子３を作動させる作用部６２とを有するスイッチノブ６とを備え、支持体４を一次成形した後、パネル体５を二次成形することにより支持体４とパネル体５とが結合してなるスイッチ装置において、支持体４に操作部６１を装着する取付部４２と作用部６２を貫通させる第１の貫通部４３を設け、パネル体５に操作部６１を露出させる第２の貫通部５１を設けた。【選択図】  図１
2010218823.tif 000002
【特許請求の範囲】
【請求項１】
回路基板と、この回路基板に搭載されるスイッチ素子と、前記回路基板に接触するボス部を有する合成樹脂からなる支持体と、この支持体の前方側に位置する合成樹脂からなるパネル体と、操作者が操作可能な操作部とこの操作部の操作に応じて前記スイッチ素子を作動させる作用部とを有するスイッチノブとを備え、前記支持体を一次成形した後、前記パネル体を二次成形することにより前記支持体と前記パネル体とが結合してなるスイッチ装置において、前記支持体に前記操作部を装着する取付部と前記作用部を貫通させる第１の貫通部を設け、前記パネル体に前記操作部を露出させる第２の貫通部を設けたことを特徴とするスイッチ装置。
【発明の詳細な説明】
【技術分野】
【０００１】
本発明は、例えば自動車、自動二輪車、建設機械、小型船舶に搭載される表示装置に適用されるスイッチ装置に関するものである。
【背景技術】
【０００２】
この種のスイッチ装置として下記特許文献１に記載されたものが知られている。このスイッチ装置は、回路基板と、この回路基板に搭載されるタクトスイッチからなるスイッチ素子と、回路基板の前方側に配置される合成樹脂製のパネル体と、このパネル体に取り付けられたゴム製のスイッチノブとを有し、スイッチノブを通じてパネル体の外部からスイッチ素子を作動可能に構成されている。
【０００３】
ところでこの種のスイッチ装置にあっては、例えばパネル体に回路基板側に延びるボスを形成し、このボスと回路基板とをねじ止めすることによって装置全体の剛性を確保する場合がある。パネル体にボスを形成すると、パネル体のボス付近にヒケが生じ、見栄えが低下するため、ボス部を有する支持体を合成樹脂にて一次形成した後、支持体の表面側にパネル体を二次成形することにより、部品点数の増加なく、見栄え品質を維持することが行われている。この際、パネル体側にスイッチノブが装着され、支持体にはスイッチノブに対応した貫通孔が形成され、この貫通孔をスイッチノブが貫通し、スイッチ素子側に延びる構成となる。
【先行技術文献】
【特許文献】
【０００４】
【特許文献１】特開２００９−００９８２３公報
【発明の概要】
【発明が解決しようとする課題】
【０００５】
しかしながら、一次形成した支持体にパネル体を二次成形したものは、パネル体の成形圧によって支持体が反パネル体側に動き、支持体に対してパネル体の浮きが生じると、スイッチノブの作用部とスイッチ素子とがこの場合、高さ方向に位置ずれしてクリアランスが大きくなり、スイッチの操作感覚が悪化するという問題がある。
【０００６】
本発明は前述の課題に着目し、スイッチノブの操作部とスイッチ素子との位置ずれを抑制し得るスイッチ装置を提供することを目的とするものである。
【課題を解決するための手段】
【０００７】
本発明は、前述した課題を解決するため、回路基板と、この回路基板に搭載されるスイッチ素子と、前記回路基板に接触するボス部を有する合成樹脂からなる支持体と、この支持体の前方側に位置する合成樹脂からなるパネル体と、操作者が操作可能な操作部とこの操作部の操作に応じて前記スイッチ素子を作動させる作用部とを有するスイッチノブとを備え、前記支持体を一次成形した後、前記パネル体を二次成形することにより前記支持体と前記パネル体とが結合してなるスイッチ装置において、前記支持体に前記操作部を装着する取付部と前記作用部を貫通させる第１の貫通部を設け、前記パネル体に前記操作部を露出させる第２の貫通部を設けたことを特徴とする。
このように構成することにより、パネル体の成形圧によって支持体が反パネル体方向に動いたとしても、スイッチノブの操作部がパネル体側ではなくスイッチ素子を搭載する回路基板と接触する支持体側に装着されるため、スイッチノブの作用部とスイッチ素子との位置ずれを抑制することができる。
【発明の効果】
【０００８】
本発明によれば、初期の目的を達成することができ、スイッチノブの作用部とスイッチ素子とのクリアランスの変化を抑制することができ、これにより操作感覚の悪化を抑制することができる。
【図面の簡単な説明】
【０００９】
【図１】本発明の一実施形態によるスイッチ装置の要部断面図である。
【発明を実施するための形態】
【００１０】
以下、本発明の実施の形態について添付図面を用いて説明する。
【００１１】
図１において、本発明の実施形態によるスイッチ装置は、裏カバー１と、回路基板２と、スイッチ素子３と、支持体４と、パネル体５と、スイッチノブ６とを備えている。
【００１２】
裏カバー１は、例えば合成樹脂からなり、回路基板２の背面側を覆うものである。
【００１３】
回路基板２は、周知な硬質回路基板であり、裏カバー１と支持体４との間に配置される。
【００１４】
スイッチ素子３は、例えばプッシュ式のタクトスイッチからなり、スイッチノブ６の押圧、解除に基づいて図中、上下に可動する可動部３１と、この可動部３１の上下動に応じてオン、オフするスイッチ機構を内蔵した不動部３２とから構成される。
【００１５】
可動部３１は、回路基板２の厚み方向に延び不動部３２によって移動可能に支持されると共にスイッチノブ６と芯合わせされた状態で配置される。
【００１６】
不動部３２は、回路基板２に導通固定されており、操作者がスイッチノブ６を通じて可動部３１をプッシュ操作することにより、切替信号を出力するもので、この切替信号に応じて図示しない表示器の表示を切り替えたり、リセットすることが可能となっている。
【００１７】
支持体４は、例えば合成樹脂からなり、回路基板２に向けて延長形成された筒状のボス部４１と、スイッチノブ６を装着するための取付部４２と、スイッチノブ６を挿通させるための第１の貫通部４３とを有して回路基板２の前方側に配置されている。
【００１８】
ボス部４１は、裏カバー１との間に回路基板２を挟んだ形でネジ止め固定されることにより、回路基板２と接触した状態で回路基板２と裏カバー１の双方に取付固定されている。
【００１９】
取付部４２は、第１の貫通部４３を取り巻いて前方側に延びスイッチノブ６と嵌合する筒状壁部４４を備えている。
【００２０】
第１の貫通部４３は、スイッチ素子３の可動部３１の位置に合わせて形成されている。
【００２１】
パネル体５は、例えば合成樹脂からなり、支持体５の前方側を覆っている。このパネル体５は、支持体４を金型内で一次成形した後、パネル体５を二次成形することにより支持体４と一体化されてなり、支持体４にボス部４１を形成することでヒケ等が生じてもパネル体５によって覆われることで、見栄え品質の低下を防いでいる。
【００２２】
またパネル体５には、スイッチノブ６を露出させる第２の貫通部５１が形成されている。
【００２３】
スイッチノブ６は、柔軟性を有するゴム系材料からなり、操作者が操作可能な操作部６１と、この操作部６１の押圧、解除操作に応じてスイッチ素子３の可動部３１を押動、解除させて作動させる作用部６２とを有している。
【００２４】
操作部６１は、作用部６２よりも径大な押しボタン部からなり、パネル体５の第２の貫通部５１から露出すると共に作用部６２の周囲に広がる部分が支持体４の取付部４２に嵌合装着され、支持されている。
【００２５】
作用部６２は、スイッチ素子３の可動部３１と同軸方向に延びる軸部として形成され、可動部３１に位置合わせされ、対向している。
【００２６】
以上のように本実施形態では、回路基板２と、この回路基板２に搭載されるスイッチ素子３と、回路基板２に接触するボス部４１を有する合成樹脂からなる支持体４と、この支持体４の前方側に位置する合成樹脂からなるパネル体５と、操作者が操作可能な操作部６１とこの操作部６１の操作に応じてスイッチ素子３を作動させる作用部６２とを有するスイッチノブ６とを備え、支持体４を一次成形した後、パネル体５を二次成形することにより支持体４とパネル体５とが結合してなるスイッチ装置において、支持体４に操作部６１を装着する取付部４２と作用部６２を貫通させる第１の貫通部４３を設け、パネル体５に操作部６１を露出させる第２の貫通部５１を設けたことにより、パネル体５の成形圧によって支持体４が反パネル体方向に動いたとしても、スイッチノブ６の操作部６１がパネル体５側ではなくスイッチ素子３を搭載する回路基板２と接触する支持体４側に装着されるため、スイッチノブ６の作用部６２とスイッチ素子３との位置ずれを抑制することができる。従ってスイッチノブ６の作用部６２とスイッチ素子３との高さ方向における位置ずれに伴うクリアランスの拡大を防ぎ、操作感覚の悪化を予防することができる。
【００２７】
なお本実施形態では、スイッチ素子３として、プッシュ式のタクトスイッチを用いたが、回転操作式のロータリースイッチを用いてもよい。この場合、スイッチノブの作用部とスイッチ素子とを機械的に連結する必要があるが、両者の位置ずれを抑制することにより、連結作業を容易とし、また連結後のガタツキなども抑えることができる。
【符号の説明】
【００２８】
１  裏カバー
２  回路基板
３  スイッチ素子
４  支持体
５  パネル体
６  スイッチノブ
３１  可動部
３２  不動部
４１  ボス部
４２  取付部
４３  第１の貫通部
４４  筒状壁部
５１  第２の貫通部
６１  操作部
６２  作用部
【図１】
2010218823.tif 000003